(57)【要約】      （修正有）【課題】組立て易く、使用する板状部材が少なく、上面が反り難い天板を備えた机を提供する。【解決手段】板状部材を折曲形成してなる天板体２０と、天板体を支持している脚体１１とを備えた机であって、天板体は、底板部２２と、前天板部２３と、後天板部２４と、前天板部の後端から下方へ折曲されている前立板部２５と、後天板部の前端から下方へ折曲されている後立板部２６とを有し、脚体を嵌入する嵌入孔２１が底板部に開口し、脚体は、嵌入孔に嵌入され、脚体の上部に形成された脚体切込１２で互いに重なり合う前立板部と後立板部とを挟持している。【選択図】図２
0003192074.tif 000002
【実用新案登録請求の範囲】
【請求項１】
板状部材を折曲形成してなる天板体（２０）と、前記天板体（２０）を支持している脚体（１１）とを備えた机（１０）であって、
前記天板体（２０）は、左右方向に延びる一本の折曲線部（３１）で折曲され前記折曲線部（３１）より前側の前部（２２ａ）が前側上方に傾斜し、前記折曲線部（３１）より後側の後部（２２ｂ）が後側上方に傾斜している底板部（２２）と、前記底板部（２２）の前端から後方へ水平に折曲され前記折曲線部（３１）の上方まで延びている前天板部（２３）と、前記底板部（２２）の後端から前方へ水平に折曲され前記折曲線部（３１）の上方まで延びている後天板部（２４）と、前記前天板部（２３）の後端から下方へ垂直に折曲され下端が前記折曲線部（３１）に当接している前立板部（２５）と、前記後天板部（２４）の前端から下方へ垂直に折曲され下端が前記折曲線部（３１）に当接している後立板部（２６）とを有し、前記脚体（１１）を嵌入する嵌入孔（２１）が前記底板部（２２）に開口し、
前記脚体（１１）は、前記嵌入孔（２１）に嵌入され、前記脚体（１１）の上部に形成された脚体切込（１２）で互いに重なり合う前記前立板部（２５）と後立板部（２６）とを挟持していることを特徴とする机。
【請求項２】
前記机（１０）は、左右方向に互いに離間した一対の前記脚体（１１）を備え、
前記天板体（２０）は、一対の前記脚体（１１）の間の前記折曲線部（３１）の部位に止孔（２８）が形成され、前記前立板部（２５）及び後立板部（２６）の下端に該下端から下方へ突出して前記止孔（２８）に係止される係止突片（２９）が形成されている請求項１記載の机。
【請求項３】
前記脚体（１１）は、板状部材を筒状に形成したものであり、
前記前立板部（２５）及び後立板部（２６）には、前記脚体（１１）の左右の少なくと一方の側板部（１７）を挟持する立板切込（３０）が形成されている請求項１又は２記載の机。
【考案の詳細な説明】
【技術分野】
【０００１】
本考案は、段ボール等の板状部材を天板に用いた机に関するものである。
【背景技術】
【０００２】
枕机には、予め木材から切り出されている部材を、使用時に組立て使うものが多く用いられている。
【０００３】
木材からなる枕机は、性能的には優れているものの、コストが高く、組立てに時間がかかっていた。枕机は、短期間だけ使用して、使い回されることなく廃棄される（使い捨て）場合も少なくない。また、木製であることから、リサイクルし難かった。そのため、木材からなる枕机は、壊れる前に焼却処分されていた。
【０００４】
コストが低く、リサイクル可能な材料として、例えば、段ボール等がある。特許文献１には、図１２に示すように、傾斜した台下面９３に添設されて天板面９１に直交する中央リブ９４と中央リブ９４に添設され天板面９１の裏面に添着している天板補強面９２とを有する台部９５と、台部９５を支持する脚部９６とを備えた段ボール製の幼児用の机９０が記載されている。
【先行技術文献】
【特許文献】
【０００５】
【特許文献１】特開平１０−５２３３８号公報
【考案の概要】
【考案が解決しようとする課題】
【０００６】
しかし、特許文献１に記載の机９０は、天板が天板面９１と天板補強面９２との二重になっていることから、多くの段ボールを使用しなくてはならず、コストが高くなっていた。その上、天板面９１（特に中央）の浮き上がりを防止する機能が弱いことから、天板面９１に反りが生じた場合には、天板面９１の中央が上方に浮き上がってしまい、天板面９１と天板補強面９２との間に隙間が生じて、がばがばになっていた。そのため、燭台等のように重心が高いものや、座りが悪いものを載置すると転倒してしまうおそれがあった。また、台部９５と脚部９６との係合が弱く、特に、左右の内側方向（矢印Ａの方向）への脚部９６の傾きの規制は、台部９５の開口９７の縁のみで行っていることから、脚部９６が傾いてしまうおそれがあった。
【０００７】
そこで、本考案は、組立て易く、使用する板状部材が少なく、上面が反り難い天板を備えた机を提供する。
【課題を解決するための手段】
【０００８】
上記課題を解決するために、板状部材を折曲形成した天板体を、側面視において、逆三角形状にすることで変形していびつになり難くする。また、天板を前天板部と後天板部とに二分割し、前天板部から折曲された前立板部と後天板部から折曲された後立板部とが重なり合った状態で脚体の脚体切込に挟持されていることで、前天板部及び後天板部を共に反り難くする。
【０００９】
本考案の机は、板状部材を折曲形成してなる天板体と、前記天板体を支持している脚体とを備えた机であって、前記天板体は、左右方向に延びる一本の折曲線部で折曲され前記折曲線部より前側の前部が前側上方に傾斜し、前記折曲線部より後側の後部が後側上方に傾斜している底板部と、前記底板部の前端から後方へ水平に折曲され前記折曲線部の上方まで延びている前天板部と、前記底板部の後端から前方へ水平に折曲され前記折曲線部の上方まで延びている後天板部と、前記前天板部の後端から下方へ垂直に折曲され下端が前記折曲線部に当接している前立板部と、前記後天板部の前端から下方へ垂直に折曲され下端が前記折曲線部に当接している後立板部とを有し、前記脚体を嵌入する嵌入孔が前記底板部に開口し、前記脚体は、前記嵌入孔に嵌入され、前記脚体の上部に形成された脚体切込で互いに重なり合う前記前立板部と後立板部とを挟持していることを特徴とする。
【００１０】
机の態様は、特に限定はされないが、脚体が一つでもよいし、二つ以上でもよい。
【００１１】
脚体は、特に限定はされないが、軽量になることから、板状部材を筒状に形成したものであることが好ましく、製造し易いことから、天板体に用いられる板状部材と同じものを筒状に形成したものであることがより好ましい。また、使用耐荷重が向上することから、上端が前天板部及び後天板部に当接していることが好ましい。
【００１２】
また、前立板部と後立板部とが離間し難くなり、前天板部と後天板部とがさらに反り難くなることから、脚体切込の深さは、前立板部及び後立板部の上下方向の長さの半分以上であることが好ましい。
【００１３】
天板体は、特に限定はされないが、前立板部と後立板部とが底板部に固定され、前天板部と後天板部とがさらに反り難くなることから、折曲線部に止孔が形成され、前立板部及び後立板部の下端に該下端から下方に突出して止孔に係止される係止突片が形成されていることが好ましい。脚体が一対（二つ）の場合には、止孔は一対の脚体の間の部位に形成されていることが好ましい。これは、一対の脚体の間に位置する前立板部及び後立板部の部位が底板部に固定され、一対の脚体の間の前天板部と後天板部との部位が反り難くなるからである。また、前天板部と後天板部との間に隙間が生じ難くなるからである。
【００１４】
また、脚体が板状部材を筒状に形成したものである場合には、前立板部及び後立板部に、脚体の左右の少なくとも一方の側板部を挟持する立板切込が形成されていることが好ましく、左右両方の側板部を挟持する二つの立板切込が形成されていることがより好ましい。これは、脚体の左右の側板部が立板切込に挟持されることで、脚体が傾き（特に左右方向の傾き）難くなり、机の安定性が向上するからである。また、脚体が天板体から脱落し難くなるからである。
【００１５】
また、二つの立板切込の間にある当接片の態様は、特に限定はされないが、前立板部及び後立板部の下端より下方に突出して嵌入孔に挿入されていることが好ましい。これは、当接片の下部と嵌入孔の縁とで脚体を挟持することができ、脚体がさらに傾き難くなるからである。
【００１６】
板状部材としては、特に限定はされないが、容易に折曲形成できる易折曲性板状部材、例えば、段ボール、厚紙、プラスチックシート、プラダン（プラスチック段ボール）等が好ましい。また、段ボール、厚紙、プラスチックシート、プラダンは、軽量である点も好ましい。
【００１７】
机は、用途が枕机に限定されるものではなく、祭壇等の飾りを載置する机や、子供用机等の用途が例示できる。
【考案の効果】
【００１８】
本考案によれば、組立て易く、使用する板状部材が少なく、上面が反り難い天板を備えた机を提供することができる。
【図面の簡単な説明】
【００１９】
【図１】本考案の実施例の机の斜視図である。
【図２】同机の分解斜視図である。
【図３】同机の一部を破断させた下から見上げた斜視図である。
【図４】同机の正面図である。
【図５】同机の平面図である。
【図６】同机の右側面図である。
【図７】同机の脚体の展開図である。
【図８】同机の天板体の展開図である。
【図９】同机の天板体の折曲形成途中の斜視図である。
【図１０】同机の第一の変更例の斜視図である。
【図１１】同机の第二の変更例の斜視図である。
【図１２】従来例の机の一部を分解した斜視図である。
【考案を実施するための形態】
【実施例】
【００２０】
本考案の机１０について、図１〜図１１を用いて説明する。
【００２１】
机１０は、天板体２０と、左右方向に互いに離間し天板体２０を支持する一対の脚体１１とを備えている。
【００２２】
脚体１１は、略矩形状の段ボール１５を折曲形成したものであり、段ボール１５の一端側に設けられている糊代部１６を他端側の内面に糊着することで、上面及び下面が共に開口した略四角筒状をしている。また、脚体１１は、鉛直に起立し、起立時に上面は略水平になっている。脚体１１の左右の側板部１７は、前後板部１８より幅広であり、前後方向の中央に上端から下方へと鉛直に延びる脚体切込１２が欠成されている。脚体切込１２の深さ（上下方向の長さ）は、後述する前立板部２５及び後立板部２６の上下方向の長さの半分以上である。
【００２３】
天板体２０は、略矩形状の一枚の段ボール１４を折曲形成したものであり、底板部２２、前天板部２３、後天板部２４、前立板部２５及び後立板部２６とを有し、側面視が略逆三角形状である。
【００２４】
底板部２２は、中央において左右方向に延びる一本の中央折曲線３１で折曲されて二分され、中央折曲線３１より前側が前部２２ａであり、中央折曲線３１より後側が後部２２ｂである。前部２２ａ及び後部２２ｂは共に左右方向に長い矩形状である。前部２２ａは前端が高くなるよう前側上方に傾斜している。後部２２ｂは後端が高くなるよう後側上方に傾斜している。底板部２２には、前後方向に長い矩形状に開口した嵌入孔２１が二つ形成されている。それぞれの嵌入孔２１は、長辺の中央で中央折曲線３１と直交している。また、脚体１１が嵌入されている。二つの嵌入孔２１の間、即ち、一対の脚体１１の間には、左右方向に長い長円状に開口した止孔２８が形成されている。止孔２８は中央折曲線３１と重なっている。
【００２５】
前天板部２３は、底板部２２に連結され、底板部２２の前端の前折曲線３２で後方へ鋭角に折曲されて、水平に設けられている。また、中央折曲線３１の鉛直上方付近まで延び、左右方向に長い矩形状である。前天板部２３の下面には、脚体１１の上端が当接している。
【００２６】
後天板部２４は、底板部２２に連結され、底板部２２の後端の後折曲線３３で前方へ鋭角に折曲されて、水平に設けられている。また、中央折曲線３１の鉛直上方付近まで延び、左右方向に長い矩形状である。後天板部２４の下面には、脚体１１の上端が当接している。
【００２７】
前天板部２３と後天板部２４とは略同じ大きさであり、上面が面一になっている。
【００２８】
前立板部２５は、前天板部２３に連結され、前天板部２３の後端の前中折曲線３４で下方へ垂直に折曲されて、鉛直に立設されている。また、左右方向に長い略矩形状で、下端が中央折曲線３１付近の底板部２２の上面に当接している。止孔２８に対応するところには前立板部２５の下端から下方に突出した係止突片２９が形成されている。それぞれの嵌入孔２１に対応するところには、下端から上方に鉛直に延びる四つ（それぞれの嵌入孔２１に二つずつ）の立板切込３０が欠成されている。二つの立板切込３０の間が当接片２７である。当接片２７は、前立板部２５の下端より下方に突出している。
【００２９】
後立板部２６は、後天板部２４に連結され、後天板部２４の前端の後中折曲線３５で下方へ垂直に折曲されて、鉛直に立設されている。また、左右方向に長い略矩形状で、下端が中央折曲線３１付近の底板部２２の上面に当接している。止孔２８に対応するところには後立板部２６の下端から下方に突出した係止突片２９が形成されている。それぞれの嵌入孔２１に対応するところには、下端から上方に鉛直に延びる四つ（それぞれの嵌入孔２１に二つずつ）の立板切込３０が欠成されている。二つの立板切込３０の間が当接片２７である。当接片２７は、後立板部２６の下端より下方に突出している。
【００３０】
前立板部２５と後立板部２６とは、前立板部２５の後面に後立板部２６の前面を接触させて重なり合っている。そして重なり合った状態で脚体切込１２に挿入され、脚体切込１２に挟持されている。また、それぞれの係止突片２９は止孔２８に貫通して、係止されている。二つ立板切込３０には、一つの脚体１１の左右の側板部１７が挿入され、側板部１７を挟持している。また、当接片２７は、下部が嵌入孔２１に遊貫して、脚体１１の内部に挿入され、左右両側が脚体１１の内面に当接している。そして当接片２７の下部と嵌入孔２１の縁とで脚体１１を挟持している。
【００３１】
机１０の組立て方について説明する。
先ず、段ボール１４を折曲形成して、側面視が略逆三角形状に天板体２０を形成する。折曲形成された天板体２０は、止孔２８に係止突片２９を係止させて、展開しないようになっている。
次に、糊代部１６を糊着して、略四角筒状に段ボール１５を折曲形成した一対の脚体１１を、二つの嵌入孔２１に嵌入し、上端を前天板部２３及び後天板部２４の下面に当接させる。
【００３２】
本考案の机１０によれば、次の（ａ）〜（ｉ）の効果が得られる。
（ａ）天板を前天板部２３と後天板部２４とに二分割し、前立板部２５と後立板部２６とが重なり合った状態で脚体１１の脚体切込１２に挟持されていることから、前天板部２３及び後天板部２４が共に反り難くなっている。また、前天板部２３と後天板部２４との間に隙間が生じ難くなっている。
（ｂ）係止突片２９が止孔２８に係止されていることから、前天板部２３及び後天板部２４（特に一対の脚体１１の間の部位）がさらに反り難くなっている。また、前天板部２３と後天板部２４との間に隙間がさらに生じ難くなっている。さらに、組立て時に天板体２０が展開しないことから、組立てが容易に行える。
【００３３】
（ｃ）脚体１１の左右の側板部１７がそれぞれ立板切込３０に挟持されていることから、脚体１１が傾き難くなり、机の安定性が向上している。また、脚体１１が脱落し難くなっている。
（ｄ）当接片２７の下部と嵌入孔２１の縁とで脚体１１を挟持していることから、脚体１１がさらに傾き難くなり、机の安定性がさらに向上している。
【００３４】
（ｅ）側面視において、天板体２０が逆三角形状であることから、変形していびつになり難くなっている。
（ｆ）前天板部２３及び後天板部２４とが二重でないことから、使用する段ボールの量を少なくでき、低コストである。
（ｇ）前天板部２３及び後天板部２４の下面に脚体１１が当接して支持していることから、使用耐荷重が高くなっている。
【００３５】
（ｈ）段ボールからなることから、容易に折曲形成できて組立てが容易であり、リサイクルが可能であり、軽量であり、容易に折りたためてコンパクトにすることができる。
（ｉ）前天板部２３と後天板部２４とからなる天板が略水平で反り難いことから、燭台等を載置しても転倒するおそれがなく、枕机として用いることができる。
【００３６】
なお、本考案は前記実施例に限定されるものではなく、考案の趣旨から逸脱しない範囲で適宜変更して具体化することもできる。
・図１０に示すように、後天板部２４を前天板部２３より上に設けて雛壇状にする。
・図１１に示すように、前天板部２３及び後天板部２４のどちらか一方（後天板部２４）を他方（前天板部２３）より前後方向に幅広にする。
【符号の説明】
【００３７】
１０    机
１１    脚体
１２    脚体切込
２０    天板体
２１    嵌入孔
２２    底板部
２２ａ  前部
２２ｂ  後部
２３    前天板部
２４    後天板部
２５    前立板部
２６    後立板部
２８    止孔
２９    係止突片
３０    立板切込
３１    中央折曲線
【図１】
0003192074.tif 000003
【図２】
0003192074.tif 000004
【図３】
0003192074.tif 000005
【図４】
0003192074.tif 000006
【図５】
0003192074.tif 000007
【図６】
0003192074.tif 000008
【図７】
0003192074.tif 000009
【図８】
0003192074.tif 000010
【図９】
0003192074.tif 000011
【図１０】
0003192074.tif 000012
【図１１】
0003192074.tif 000013
【図１２】
0003192074.tif 000014